(57)【要約】【課題】  容易に取り出すことができて、紛失し難いとともに、持ち運びにも便利なグリーンフォーク付きゴルフ用ボールマーカーを提供する。【解決手段】  マーカー本体（２）と、マーカー本体（２）から突出して設けられるフォーク部（３）と、を備え、マーカー本体（２）、及び／又は衣服に挟着可能なクリップ（１０）等の保持体に埋設される磁石（７）を介して、保持体に着脱可能に保持せしめたグリーンフォーク付きゴルフ用ボールマーカー（１）である。【選択図】  図４
2008264127.tif 000002
【特許請求の範囲】
【請求項１】
マーカー本体と、
該マーカー本体から突出して設けられるフォーク部と、を備え、
該マーカー本体、及び／又は保持体に埋設される磁石を介して、保持体に着脱可能に保持せしめたグリーンフォーク付きゴルフ用ボールマーカー。
【請求項２】
マーカー本体と、該マーカー本体から突出して設けられるフォーク部と、を有する小径の第１マーカーと、
該第１マーカーを収容保持する収容部が凹設された大径の第２マーカーと、を備え、
該第１マーカーを、該第２マーカーに着脱可能に保持せしめたグリーンフォーク付きゴルフ用ボールマーカー。
【請求項３】
該マーカー本体が平板状をなし、該フォーク部が該マーカー本体の側面部から突出して設けられた請求項２に記載のグリーンフォーク付きゴルフ用ボールマーカー。
【請求項４】
該第１マーカー、及び／又は該収容部に磁石を埋設して、
該第１マーカーを、該第２マーカーに着磁吸着させるようにした請求項２又は３に記載のグリーンフォーク付きゴルフ用ボールマーカー。
【請求項５】
該第１マーカーは、磁性体からなり、
該収容部は、磁石が埋設され、該第１マーカーを載置保持する載置部と、該載置部よりもさらに低く形成された溝部と、を有する請求項２又は３に記載のグリーンフォーク付きゴルフ用ボールマーカー。
【請求項６】
該第１マーカーは、磁石が埋設され、
該収容部は、磁性体が埋設され、該第１マーカーを載置保持する載置部と、該載置部よりもさらに低く形成された溝部と、を有する請求項２又は３に記載のグリーンフォーク付きゴルフ用ボールマーカー。
【請求項７】
該第１マーカーを、該第２マーカーに収容した際に、
該第１マーカーの表面部と、該第２マーカーの表面部とが、略面一となるようにした請求項２乃至６の何れかに記載のグリーンフォーク付きゴルフ用ボールマーカー。
【発明の詳細な説明】
【技術分野】
【０００１】
本発明は、グリーンフォーク付きのゴルフ用ボールマーカーに関する。
【背景技術】
【０００２】
従来、ゴルフのプレーに際してグリーン面上でゴルフボールの位置をマークするために、ボールマーカーが用いられている。このようなボールマーカーとしては、金属製で円盤状（コイン状）に形成したもの等が知られているが、従来のボールマーカーは、比較的小型のものが多いため、いざという時にズボンのポケットの中等から取り出し難く、また紛失し易いという問題があった。
【０００３】
これに対して、裏面に磁石を貼付又は埋設し、磁性体製のクリップ等を介して、ゴルフプレーヤーの衣服や帽子に着脱可能に保持するようにしたボールマーカーとして、例えば特許文献１乃至３がある。
【０００４】
【特許文献１】実開昭６２−１３０６７５号
【特許文献２】実開昭６１−９４０６２号
【特許文献３】米国特許第６１７００８８号
【発明の開示】
【発明が解決しようとする課題】
【０００５】
ゴルフプレーヤーは、上記のボールマーカーとともに、プレー中にグリーンの芝の凹みを修復するための道具として、グリーンフォークを携帯することが多い。
ところが、従来、ゴルフマーカーとグリーンフォークとは別々に携帯されており、取り出しや持ち運びが煩わしく不便であるという問題があった。
【０００６】
そこで、本発明は上記問題に鑑みてなされたものであり、容易に取り出すことができて、紛失し難いとともに、持ち運びにも便利なグリーンフォーク付きゴルフ用ボールマーカーを提供することを目的とする。
【課題を解決するための手段】
【０００７】
上記の課題を解決するために、請求項１に記載のグリーンフォーク付きゴルフ用ボールマーカーは、マーカー本体と、該マーカー本体から突出して設けられるフォーク部と、を備え、該マーカー本体、及び／又は保持体に埋設される磁石を介して、保持体に着脱可能に保持せしめたことを要旨とする。
【０００８】
また、請求項２に記載のグリーンフォーク付きゴルフ用ボールマーカーは、マーカー本体と、該マーカー本体から突出して設けられるフォーク部と、を有する小径の第１マーカーと、該第１マーカーを収容保持する収容部が凹設された大径の第２マーカーと、を備え、
該第１マーカーを、該第２マーカーに着脱可能に保持せしめたことを要旨とする。
【０００９】
また、請求項３に記載のグリーンフォーク付きゴルフ用ボールマーカーは、請求項２に記載の構成において、該マーカー本体が平板状をなし、該フォーク部が該マーカー本体の側面部から突出して設けられたことを要旨とする。
【００１０】
また、請求項４に記載のグリーンフォーク付きゴルフ用ボールマーカーは、請求項２又は３に記載の構成において、該第１マーカー、及び／又は該収容部に磁石を埋設して、該第１マーカーを、該第２マーカーに着磁吸着させるようにしたことを要旨とする。
【００１１】
また、請求項５に記載のグリーンフォーク付きゴルフ用ボールマーカーは、請求項２又は３に記載の構成において、該第１マーカーは、磁性体からなり、該収容部は、磁石が埋設され、該第１マーカーを載置保持する載置部と、該載置部よりもさらに低く形成された溝部と、を有することを要旨とする。
【００１２】
また、請求項６に記載のグリーンフォーク付きゴルフ用ボールマーカーは、請求項２又は３に記載の構成において、該第１マーカーは、磁石が埋設され、該収容部は、磁性体が埋設され、該第１マーカーを載置保持する載置部と、該載置部よりもさらに低く形成された溝部と、を有することを要旨とする。
【００１３】
また、請求項７に記載のグリーンフォーク付きゴルフ用ボールマーカーは、請求項２乃至６の何れかに記載の構成において、該第１マーカーを、該第２マーカーに収容した際に、
該第１マーカーの表面部と、該第２マーカーの表面部とが、略面一となるようにしたことを要旨とする。
【発明の効果】
【００１４】
本発明に係るグリーンフォーク付きゴルフ用ボールマーカーによれば、マーカー本体と、該マーカー本体から突出して設けられるフォーク部と、を備え、該マーカー本体、及び／又は保持体に埋設される磁石を介して、保持体に着脱可能に保持せしめた構成であるため、容易に取り出すことができて、紛失し難いとともに、持ち運びにも便利なグリーンフォーク付きゴルフ用ボールマーカーを提供することが可能となる。
【発明を実施するための最良の形態】
【００１５】
本発明に係るグリーンフォーク付きボールマーカーは、マーカー本体と、マーカー本体から突出して設けられるフォーク部とを備えて構成され、マーカー本体、及び／又は保持体に埋設される磁石を介して、保持体に着脱可能に保持せしめたものである。
保持体とは、例えば、帽子や衣服等に挟着可能なクリップ、ベルトのバックル、ゴルフシューズであり、本発明のグリーンフォーク付きボールマーカーを、取り出し容易に保持できるものであれば、他のものであってもよい。
【００１６】
また、本発明に係るグリーンフォーク付きボールマーカーは、マーカー本体、マーカー本体から突出して設けられるフォーク部を有する小径のマーカー（第１マーカー）と、それを収容保持する収容部が凹設された大径のマーカー（第２マーカー）とによって構成することもできる。
【００１７】
本発明に係るグリーンフォーク付きボールマーカーは、任意の形状に形成することができるが、特に上記の第１マーカー及び第２マーカーによって構成する場合には、第１マーカーを第２マーカーに収容した際の全体形状が、なるべく薄く、円盤状に近い形状とすれば、携帯性を向上させることができる。
【００１８】
第１マーカーを第２マーカーに着脱可能に保持せしめる保持機構としては、磁気力を利用したものが好ましく、例えば、以下の態様でボールマーカーを構成する。
（ａ）第１マーカーに磁性体、第２マーカー（収容部）に磁石を備える。
（ｂ）第１マーカーに磁石、第２マーカー（収容部）に磁性体を備える。
（ｃ）第１マーカーに磁石、第２マーカー（収容部）に磁石を備える。
（ｄ）上記（ａ）〜（ｃ）で、第１マーカーの該当箇所の表面や、第２マーカー（収容部）の該当箇所の表面に、薄い非磁性体膜を備える。
【００１９】
磁石は、より具体的には永久磁石を使用するが、例えばアルニコ磁石、フェライト磁石、希土類磁石等を用いることができ、特にフェライト磁石が好ましい。また、磁性体は、より具体的には強磁性体を使用するが、例えば純鉄・軟鋼、ケイ素鉄、Fe-Ni合金、Fe-Co合金、Fe-Cr合金、フェライト、センダスト等を用いることができ、特に純鉄・軟鋼が好ましい。
【００２０】
収容部には、第１マーカーを載置可能とする載置部を設けることが好ましい。載置部は、第１マーカーを安定して載置保持することができるものであれば、如何なる形状・構造等であってもよい。さらに、収容部には、第１マーカーの取り出しを容易にするための溝部を設けることが好ましい。溝部は、上記載置部よりも低く（深く）形成する必要があるが、第２マーカーに収容された第１マーカーの一領域を溝部内に押下させ、第１マーカーの反対側領域を上方に浮き上がらせることを可能とするものであれば、溝部の形状や設置場所・範囲は種々変更してよい。
【００２１】
本発明に係るグリーンフォーク付きボールマーカーを、上記の第１マーカー及び第２マーカーによって構成する場合には、主として以下の３通りの使用態様が可能である。
（ａ１）第１マーカーを第２マーカーから取り外して、第１マーカー単独でのボールマーカーとしての使用。
（ａ２）第１マーカーを第２マーカーから取り外して、第１マーカー単独でのグリーンフォークとしての使用。
（ａ３）第１マーカーを第２マーカーに収容した状態でのボールマーカーとしての使用。
その他第１マーカーを第２マーカから取り外して第２マーカー単独で使用することとしてもよい。
【００２２】
本発明に係るグリーンフォーク付きボールマーカーの構成素材については、金属や合成樹脂などの耐水性、耐候性を有するものから適宜のものを限定なく選択して用いることができる。
また、マーカー本体、又は第２マーカーの側面に、小さな凹凸を連続して周設する等、滑り止め手段を設けることとしてもよい。
【実施例１】
【００２３】
本発明の第１の実施形態を、図１〜図５を参照しながら説明する。図１はボールマーカーを示す平面図、図２はボールマーカーを示す底面図、図３はボールマーカーを示す側面図、図４はボールマーカーの使用状況を示す斜視図、図５はボールマーカーの使用状況を示す底面斜視図である。
【００２４】
図１〜図３に示すように、本実施例に係るボールマーカー（１）は、薄い円盤状（直径２５ｍｍ、厚さ１ｍｍ）のマーカー本体（２）と、適宜の長さ（１０ｍｍ前後）を有する二股のフォーク部（３）とから構成されている。
フォーク部（３）は、図１〜図３に示すように、外側にテーパーが形成された先細り形状で、マーカー本体（２）の側面部（５）から突出して設けられるとともに、マーカー本体（２）の表面部（４）及び底面部（６）とそれぞれ連続する面をなして形成されている。グリーンの芝の掘り起こし作業を容易にするために、フォーク部（３）の先端を緩やかに湾曲して設けるようにしてもよい。
マーカー本体（２）には、図２に示すように、保持体に着脱可能に保持するための薄型の磁石（７）が、底面部（６）と面一に埋設されている。
【００２５】
マーカー本体（２）の直径は、１５ｍｍ〜３５ｍｍが好ましい。１５ｍｍ未満ではマーカーとして視認しにくくなり易く、よって、さらに２０ｍｍ以上、特に２２ｍｍ以上が好ましい。３５ｍｍより大きいと、ボールマーカー（１）が大型化したり、重量が重くなりすぎたりし、取扱や保管がしにくくなり易く、よって、さらに３０ｍｍ以下、特に２８ｍｍ以下が好ましい。
【００２６】
従来のグリーンフォークにおけるフォーク部の長さは３０〜４０ｍｍ程度であるが、本発明におけるフォーク部（３）の長さ（図１の符号Ａ参照）は、５ｍｍ〜２５ｍｍが好ましい。５ｍｍ未満ではフォークとして機能が低下し易く、よって、さらに７ｍｍ以上、特に８ｍｍ以上が好ましい。２５ｍｍより大きいと、ボールマーカー（１）が大型化したり、重量が重くなりすぎたりし、取扱や保管がしにくくなり易く、よって、さらに２０ｍｍ以下、さらに１５ｍｍ以下、特に１２ｍｍ以下が好ましい。
【００２７】
本実施例に係るボールマーカー（１）の使用態様の一例について説明する。図４〜図５に示すように、ここではボールマーカー（１）を、保持体をなすクリップ（１０）とともに用いている。クリップ（１０）は、略楕円形状の基板（１１）と、基板（１１）上に一回り小さい略楕円形状で設置される磁性体製の吸着板（１２）とから構成されるもので、基板（１１）には、衣服等に挟着させるためのフック（１３）が一体成形されている。
【００２８】
本実施例に係るボールマーカー（１）の使用に際しては、クリップ（１０）を、フック（１３）を介して、帽子の鍔やズボンのポケット、ベルト等に予め挟着しておく。そして、ボールマーカー（１）携帯時においては、図４〜図５のように、マーカー本体（２）と吸着板（１２）とを磁着させることによって、ボールマーカー（１）をクリップ（１０）上に保持する。
【００２９】
ゴルフのプレー中、ボール位置をマークする際には、ボールマーカー（１）をクリップ（１０）から取り外して使用すればよい。また、グリーンフォークとして使用する場合には、マーカー本体（２）を、フォークの柄として把持し、フォーク部（３）を使ってグリーンの凹みを修復するようにする。
なお、上記構成の他に、マーカー本体（２）を磁性体製とし、クリップ（１０）上面の適宜の位置に磁石を埋設する、あるいはマーカー本体（２）及びクリップ（１０）の双方に磁石を埋設するようにしてもよい。
【００３０】
従来のグリーンフォークは、板状の部材をグリーンフォークの長手方向に湾曲及び／又は屈曲させた形状、又はグリーンフォークの表面及び裏面に膨らみやくぼみを設けた形状とされているが、本発明におけるボールマーカー（１）では、表面部（４）と底面部（６）の少なくとも一方を平面部として形成するのが好ましく、さらにはその両方を平面部として、つまり、ボールマーカー（１）を平板状に形成するのが好ましい。これにより、クリップ（１０）の吸着板（１２）の表面に対するボールマーカー（１）の保持性を向上しうる。
【００３１】
本実施例に係るボールマーカー（１）であれば、マーカー本体（２）からフォーク部（３）が突出して設けられているため、ボールマーカーとグリーンフォークとを別々に持ち歩く必要がない。しかも、衣服等に挟着可能なクリップ（１０）上に保持できるため、紛失するおそれがなく、いざという時にも取り出し易い。
さらに、本実施例に係るボールマーカー（１）は、非常に簡易な構成であるため、容易に製造が行えるとともに、誰でも簡単に取り扱うことができる。
【００３２】
また、ボールマーカー（１）は、フォーク部（３）を備えている為、フォーク部（３）を芝面に差し込むことにより、ボールマーカー（１）を芝面に対して起立した状態で芝面上に設置することができ、遠くからボールマーカー（１）を眺める必要がある場合や、霧などの悪天候において使用する場合にも、ボールマーカー（１）を視認しやすいものとなる。
【実施例２】
【００３３】
本発明の第２の実施形態を、図６〜図１０を参照しながら説明する。図６はボールマーカーを示す斜視図、図７はボールマーカーの装着状態を示す斜視図、図８は第２マーカーの平面図、図９は図７におけるＸ〜Ｘ’線断面図、図１０は第１マーカーの取り外し状況を示す断面図である。
【００３４】
本実施例に係るボールマーカー（２０）は、図６〜図７に示すように、第１マーカー（２１）と第２マーカー（２２）とから構成されており、第１マーカー（２１）は、前実施例のボールマーカー（１）と共通の構成を備えたものである。すなわち、第１マーカー（２１）は、マーカー本体（２５）と、その側面部（２９）から突出して設けられるフォーク部（２６）とを備えて構成されている。ただし、本実施例の第１マーカー（２１）は、鉄等の磁性体によって一体成形されており、底面部（２８）に磁石は埋設されていない。
【００３５】
マーカー本体（２５）の直径は、１５ｍｍ〜３５ｍｍが好ましい。１５ｍｍ未満ではマーカーとして視認しにくくなり易く、よって、さらに２０ｍｍ以上、特に２２ｍｍ以上が好ましい。３５ｍｍより大きいと、第１マーカー（２１）が大型化したり、重量が重くなりすぎたりし、取扱や保管がしにくくなり易く、よって、さらに３０ｍｍ以下、特に２８ｍｍ以下が好ましい。
【００３６】
従来のグリーンフォークにおけるフォーク部の長さは３０〜４０ｍｍ程度であるが、本発明におけるフォーク部（２６）の長さ（図７の符号Ａ’参照）は、５ｍｍ〜２５ｍｍが好ましい。５ｍｍ未満ではフォークとして機能が低下し易く、よって、さらに７ｍｍ以上、特に８ｍｍ以上が好ましい。２５ｍｍより大きいと、第１マーカー（２１）が大型化したり、重量が重くなりすぎたりし、取扱や保管がしにくくなり易く、よって、さらに２０ｍｍ以下、さらに１５ｍｍ以下、特に１２ｍｍ以下が好ましい。
【００３７】
第２マーカー（２２）は、図６〜図８に示すように、第１マーカー（２１）の全長よりも一回り大きい径を有する略円盤状（直径４０ｍｍ、厚さ３ｍｍ）をなすとともに、表面部（３１）において第１マーカー（２１）をすっぽりと収容できる収容部（３０）を備えて構成されている。
【００３８】
第２マーカー（２２）が備える収容部（３０）は、図６〜図８に示すように、第１マーカー（２１）を模った形状で、表面部（３１）よりも所定の深さ（約２ｍｍ）だけ凹ませて設けられるものである。収容部（３０）の所定の位置には、図６に示すように、ごく小さい高さ（１ｍｍ）の短円筒状をなす載置部（３３）が、上方に向かって突設されている。載置部（３３）には、薄型円形の磁石（３４）を埋設する埋設穴が凹設され、載置部（３３）の上面と、埋設された磁石（３４）の上面とが略面一となるようになされている。そして、上記載置部（３３）の突出によって、載置部（３３）の周囲には、図６〜図８に示す如くの溝部（３５）が形成されている。
【００３９】
第１マーカー（２１）は、第２マーカー（２２）の磁石（３４）によって吸着されることで収容部（３０）内に着脱可能に保持されるが、図９に示すように、第１マーカー（２１）の底面部（２８）の一定部位が、載置部（３３）及び磁石（３４）の上面に接して載置される一方で、他の部位は、溝部（３５）底面との間に所定の隙間を形成した状態で保持されている。さらに、図７及び図９に示すように、第１マーカー（２１）の表面部（２７）と、第２マーカー（２２）の表面部（３１）とは、略面一となって、連続する平坦な平面を形成するようになされている。
そして、特に第１マーカー（２１）において、マーカー本体（２５）が平板状をなし、フォーク部（２６）をマーカー本体（２５）の側面部（２９）から突出して設けたことにより、全体を非常にコンパクトな構成とすることが可能となっているものである。
【００４０】
収容部（３０）の深さ（図６の符号Ｂ参照）は、１ｍｍ〜４ｍｍが好ましい。１ｍｍ未満では、第２マーカー（２２）の収納性が低下し易く、よって、さらに１．５ｍｍ以上、特に２ｍｍ以上が好ましい。また、４ｍｍより大きいと、ボールマーカー（２０）が大型化したり、重量が重くなりすぎたりし、取扱や保管がしにくくなり易く、よって、さらに３ｍｍ以下、特に２．５ｍｍ以下が好ましい。
【００４１】
載置部（３３）の高さ、及び溝部（３５）の深さ（図６の符号Ｃ参照）は、０．５ｍｍ〜３ｍｍが好ましい。０．５ｍｍ未満では、第２マーカー（２２）の取り外し性が低下し易く、よって、さらに０．７ｍｍ以上、特に１ｍｍ以上が良い。また、３ｍｍより大きいと、ボールマーカー（２０）が大型化したり、重量が重くなりすぎたりし、取扱や保管がしにくくなり易く、よって、さらに２ｍｍ以下、特に１．５ｍｍ以下が好ましい。
【００４２】
従来のグリーンフォークは、板状の部材をグリーンフォークの長手方向に湾曲及び／又は屈曲させた形状、又はグリーンフォークの表面及び裏面に膨らみやくぼみを設けた形状とされているが、本発明における第１マーカー（２１）では、表面部（２７）と底面部（２８）の少なくとも一方を平面部として形成するのが好ましく、さらにはその両方を平面部として、つまり、第１マーカー（２１）を平板状に形成するのが好ましい。これにより、第２マーカー（２２）に対するボールマーカー（１）の保持性を向上しうる。
【００４３】
次に、上記の如く構成されたボールマーカー（２０）の使用態様の一例について説明する。まず、ボールマーカー（２０）携帯時においては、図７に示すように、第１マーカー（２１）を第２マーカー（２２）に吸着保持させておく。
ゴルフのプレー中において、ボールがグリーンに乗り、ボール位置をマークする際には、第２マーカー（２２）から第１マーカー（２１）を取り外し、第１マーカー（２１）を用いて行う。第１マーカー（２１）の取り外しにおいては、図１０に示すように、第１マーカー（２１）の表面部（２７）における一定の場所（例えばフォーク部（２６））を、親指の腹等で上方から押圧し、溝部（３５）内に押し下げる。すると、載置部（３３）の一上縁端を支点とし、第１マーカー（２１）の反対側が、磁石（３４）の吸着力に抗して浮き上がるため、そのまま外側に向かってスライドさせれば、第１マーカー（２１）を第２マーカー（２２）から容易に取り外すことができる。
また、取り外した第１マーカー（２１）は、前実施例と同様にして、グリーンフォークとしても使用することができる。
【００４４】
その後、第１マーカー（２１）の使用を終了する際には、第１マーカー（２１）を第２マーカー（２２）に再び吸着させて、図７に示す如く携帯に適した形とする。プレーの状況に応じて、ボール位置がカップから遠い場合等には、第１マーカー（２１）を第２マーカー（２２）から取り外すことなく、第２マーカー（２２）に吸着保持させたままで、大型のボールマーカーとして使用することができる。
【００４５】
第１マーカー（２１）の表側の外表面、特にマーカー本体（２５）の外表面には、凹部（凹部模様）を設けるのが好ましい。これにより、第１マーカー（２１）を第２マーカー（２２）から取り外す際における上方からの第１マーカー（２１）の押圧又は横スライドが容易になり、取り外し性が向上する。なお、その凹部の最大深さ部の深さは、０．０５ｍｍ〜１ｍｍとするのが好ましい。０．０５ｍｍ未満では、取り外し性の向上効果が不十分となりやすく、よって、さらに０．１ｍｍ以上、特に０．２ｍｍ以上とするのが好ましい。また、１ｍｍより大きいと、第１マーカー（２１）が大型化したり、重量が重くなりすぎたりし、取扱や保管がしにくくなり易く、よって、さらに０．７ｍｍ以下、特に０．５ｍｍ以下が好ましい。また、この凹部は、商標や品番やデザインなどの形態模様にするのが好ましい。
【００４６】
第２マーカー（２２）の裏側の外表面にも、凹部（凹部模様）を設けるのが好ましい。これにより、第１マーカー（２１）を第２マーカー（２２）から取り外す際における第２マーカー（２２）の保持性が向上し、取り外し性が向上する。また、なお、その凹部の最大深さ部の深さは、０．０５ｍｍ〜２ｍｍとするのが好ましい。０．０５ｍｍ未満では、取り外し性の向上効果が不十分となりやすく、よって、さらに０．１ｍｍ以上、特に０．２ｍｍ以上とするのが好ましい。また、２ｍｍより大きいと、第２マーカー（２２）が大型化したり、重量が重くなりすぎたりし、取扱や保管がしにくくなり易く、よって、さらに１ｍｍ以下、特に０．７ｍｍ以下が好ましい。また、この凹部は、商標や品番やデザインなどの形態模様にするのが好ましい。
【００４７】
第２マーカー（２２）の収容部（３０）は、第１マーカー（２１）の外輪郭に合致する形態とするのが好ましく、この収容部（３０）は、円形状の第１収容部（Ｐ）と、フォーク形状の第２収容部（Ｑ）とが連続して形成される形態とするのが好ましい（図８参照）。
第１収容部（Ｐ）の直径は、１５ｍｍ〜３５ｍｍが好ましい。１５ｍｍ未満ではマーカーとして視認しにくくなり易く、よって、さらに２０ｍｍ以上、特に２２ｍｍ以上が好ましい。３５ｍｍより大きいと、ボールマーカー（２０）が大型化したり、重量が重くなりすぎたりし、取扱や保管がしにくくなり易く、よって、さらに３０ｍｍ以下、特に２８ｍｍ以下が好ましい。
第２収容部（Ｑ）の長さは、５ｍｍ〜２５ｍｍが好ましい。５ｍｍ未満ではフォークとして機能が低下し易く、よって、さらに７ｍｍ以上、特に８ｍｍ以上が好ましい。２５ｍｍより大きいと、ボールマーカー（２０）が大型化したり、重量が重くなりすぎたりし、取扱や保管がしにくくなり易く、よって、さらに２０ｍｍ以下、さらに１５ｍｍ以下、特に１２ｍｍ以下が好ましい。
【００４８】
第２マーカー（２２）の載置部（３３）は、円形状とするのが好ましく、その外形は、５ｍｍ〜２５ｍｍとするのが好ましい。５ｍｍより小さいと、第１マーカー（２１）を取り外す際における、押圧による第１マーカー（２１）の傾斜が小さくなって、第１マーカー（２１）の取り外しがしにくくなり、よって、さらに７ｍｍ以上、特に９ｍｍ以上が好ましい。また、２５ｍｍより大きいと、第１マーカー（２１）を取り外す際における、第１マーカー（２１）を傾斜させる為に必要とされる押圧が大きくなって、取り外しがしにくくなったり、又は、ボールマーカー（２０）が大型化したり、重量が重くなりすぎたりし、取扱や保管がしにくくなり易く、よって、さらに２０ｍｍ以下、特に１５ｍｍ以下が好ましい。
【００４９】
上記した形態に拘わらず、第２収容部（Ｑ）とは逆側の位置において、第１収容部（Ｐ）の外輪郭と、載置部（３３）の外輪郭との距離（図８の符号Ｅ参照）は、２ｍｍ〜１５ｍｍが好ましい。２ｍｍより小さいと、第１マーカー（２１）を取り外す際における、第１マーカー（２１）を傾斜させる為に必要とされる押圧が大きくなって、取り外しがしにくくなり、よって、さらに４ｍｍ以上、特に６ｍｍ以上が好ましい。また、１５ｍｍより大きいと、第１マーカー（２１）を取り外す際における、押圧による第１マーカー（２１）の傾斜が小さくなって、第１マーカー（２１）の取り外しがしにくくなり、よって、さらに１０ｍｍ以下、特に８ｍｍ以下が好ましい。
【００５０】
本実施例に係るボールマーカー（２０）によれば、小径の第１マーカー（２１）を大径の第２マーカー（２２）に収容装着して携帯できるため、ポケットの中等で紛失するおそれがない。
また、第１マーカー（２１）がボールマーカーとグリーンフォークとしての両方の機能を発揮できるのはもちろんのこと、グリーン面上のボールの位置によっては、第２マーカー（２２）と組み合わせた大型のボールマーカーとしての使用も可能であるため、利便性が高い。
そして、本実施例に係るボールマーカー（２０）は、図７に示す如く第１マーカー（２１）を収容装着した際に、第１マーカー（２１）の表面部（２７）と、第２マーカー（２２）の表面部（３１）とが略面一となり、全体として携帯性に優れたコンパクトな形状となるため、持ち運びにも便利である。
【００５１】
また、第１マーカー（２１）は、フォーク部（２６）を備えている為、フォーク部（２６）を芝面に差し込むことにより、第１マーカー（２１）を芝面に対して起立した状態で芝面上に設置することができ、遠くから第１マーカー（２１）を眺める必要がある場合や、霧などの悪天候において使用する場合にも、第１マーカー（２１）を視認しやすいものとなる。
【００５２】
また、本実施例の第１マーカー（２１）及び第２マーカー（２２）と、実施例１の保持体をなすクリップ（１０）と、を有するセット品とすれば、ゴルフプレーヤーは、そのセット品から適宜のものを選択することにより、多種類の使用方法を実現しうることとなる。
【００５３】
なお、第１マーカー（２１）におけるマーカー本体（２５）の表面部（２７）と底面部（２８）とを平行な面として形成し、さらにマーカー本体（２５）の側面の内で、少なくとも、フォーク部（２６）の反対側の一定側面を、マーカー本体（２５）の表面部（２７）と直角となるように形成することもできる。
これにより、第１マーカー（２１）の前記反対側の側面を、第２マーカー（２２）の載置部（３３）に配された磁石（３４）の上面に当接させ、第１マーカー（２１）を第２マーカー（２２）に対して垂直に、つまり、芝面に対して垂直に起立した状態で配置することが可能となり、しかも、フォーク部（２６）が上になる状態で配置されることになるため、遠くから眺める必要がある場合や、霧などの悪天候において使用する場合にも、第１マーカー（２１）を視認しやすいものとなる。
この使用方法において、フォーク部（２６）が長すぎると、上記設置状態が不安定になり易く、また、フォーク部（２６）の先にゴルファーの持つゴルフクラブが接触し易くなる。よって、フォーク部（２６）の長さ（図７の符号Ａ’参照）は、従来のグリーフォークの長さより短いものとし、具体的には２０ｍｍ以下、さらに１５ｍｍ以下、特に１２ｍｍ以下とするのが好ましい。逆に、短すぎると、フォークとしての機能が低下したり、フォーク部（２６）を芝面に差し込んで使用する際の安定性が低下するため、５ｍｍ以上、さらに７ｍｍ以上、特に８ｍｍ以上とするのが好ましい。
【００５４】
本実施例の変形例を図１１に示す。図１１は変形例に係るボールマーカーを示す斜視図である。
この変形例に係るボールマーカー（２０’）は、第２マーカー（２２’）が、図１１に示す如くの収容部（３０’）を備えるものであり、収容部（３０’）は、表面部（３１）よりも第１マーカー（２１）の略厚み分だけ凹ませて設けられた平面視略半円状の載置部（３３’）と、直線状の段差部（４０）を介して、さらにそれよりも低く形成された所定の溝部（３５’）とから構成されている。載置部（３３’）の適宜の位置には、図１１に示すように、第１マーカー（２１）を着脱可能に保持するための磁石（３４’）が埋設されている。このようなボールマーカー（２０’）においては、磁石（３４’）の磁力がそれほど強力でない場合でも、第１マーカー（２１）をより安定して収容することができるとともに、第１マーカー（２１）の取り外しも簡単に行える。
【００５５】
第２マーカー（２２）に設けられる溝部は、上記した実施形態のものに限られず、第２マーカー（２２）に収納される第１マーカー（２１）の周縁部に該当する箇所の少なくとも一部の領域に溝部が配置されるようにしたものであればよい。これにより、第２マーカー（２２）に収納された第１マーカー（２１）の、溝部が配設された箇所に該当する部分を押圧することで、第１マーカー（２１）を容易に取り外すことができるものとなる。換言すれば、第１マーカー（２１）の周縁部の一部を押圧したときに、第１マーカー（２１）がその押圧により第２マーカー（２２）に対して傾斜するような機能を有する形態にすればよい。なお、前記周縁部の一部とは、何れの箇所でも良いが、第１マーカー（２１）の取り外し性を良くする為には、フォーク部（２６）と逆の部分の周縁部とするのが好ましく、また、第１マーカー（２１）の周縁部の全部位に、つまり、全周の領域にわたって、その機能を有する形態にするのが好ましい。
【産業上の利用可能性】
【００５６】
本発明は、容易に取り出すことができて、紛失し難いとともに、持ち運びにも便利なグリーンフォーク付きゴルフ用ボールマーカーを提供するものであり、産業上の利用可能性を有する。
【図面の簡単な説明】
【００５７】
【図１】実施例１に係るボールマーカーを示す平面図である。
【図２】実施例１に係るボールマーカーを示す底面図である。
【図３】実施例１に係るボールマーカーを示す側面図である。
【図４】実施例１に係るボールマーカーの使用状況を示す斜視図である。
【図５】実施例１に係るボールマーカーの使用状況を示す底面斜視図である。
【図６】実施例２に係るボールマーカーを示す斜視図である。
【図７】実施例２に係るボールマーカーの装着状態を示す斜視図である。
【図８】実施例２に係る第２マーカーの平面図である。
【図９】図７におけるＸ〜Ｘ’線断面図である。
【図１０】実施例２に係る第１マーカーの取り外し状況を示す断面図である。
【図１１】実施例２の変形例に係るボールマーカーを示す斜視図である。
【符号の説明】
【００５８】
１  ボールマーカー
２  マーカー本体
３  フォーク部
４  表面部
５  側面部
７  磁石
１０  クリップ
２０  ボールマーカー
２１  第１マーカー
２２  第２マーカー
２５  マーカー本体
２６  フォーク部
２７  表面部
２９  側面部
３０  収容部
３１  表面部
３３  載置部
３４  磁石
３５  溝部
【図１】
2008264127.tif 000003
【図２】
2008264127.tif 000004
【図３】
2008264127.tif 000005
【図４】
2008264127.tif 000006
【図５】
2008264127.tif 000007
【図６】
2008264127.tif 000008
【図７】
2008264127.tif 000009
【図８】
2008264127.tif 000010
【図９】
2008264127.tif 000011
【図１０】
2008264127.tif 000012
【図１１】
2008264127.tif 000013